(57)【要約】      （修正有）【課題】板厚に関係なくピックの硬さを選定することができると共に、材質も自由に選択することかでき、しかも長時間の演奏においても扱いやすいギター演奏用のピックを提供する。【解決手段】三か所の角部２，４を有するギター演奏用のピック１であって、一定の板厚に形成された保持部１０を有すると共に、保持部１０から少なくとも一か所の角部に向けて板厚が漸次減少しており、当該角部の先端の板厚Ｔ１を任意に設定することで、演奏者による取り扱い易さを損なうことなく、当該角部の硬さを任意に調整することができる。【選択図】図３
0003217781.tif 000002
【実用新案登録請求の範囲】
【請求項１】
三か所の角部を有すると共にこれら角部を繋ぐ三辺を有し、一定の板厚に形成された保持部を有すると共に、前記保持部から少なくとも一か所の角部に向けて板厚が漸次減少していることを特徴とするギター演奏用のピック。
【請求項２】
少なくとも一つの角部の先端近傍には、当該角部を挟む二つの辺に沿って当該ピックの表裏を貫通するスリット孔が形成されていることを特徴とする請求項１記載のギター演奏用のピック。
【請求項３】
合成樹脂の射出成型で形成されていることを特徴とする請求項１又は２記載のギター演奏用のピック。
【考案の詳細な説明】
【技術分野】
【０００１】
本考案は、ギターの演奏に用いられるピックに関する。
【背景技術】
【０００２】
ギター演奏に用いられるピックは一般に略三角形状に形成されており、角部で弦を弾くようにして使用される。このピックは形状、厚み及び材質に応じて様々なものが市販されている。ピックの形状、厚み及び材質は当該ピックの硬さに影響を与えており、それによって各ピックによって弦を弾いた際の音の大きさ、音色、応答性が異なる。また、弦とピックが擦れて生じるスクラッチノイズの大小は、当該ピックの材質に影響を受ける。このため、演奏者は曲調や自らの演奏スタイルに合わせてピックを選定し、使用している。
【０００３】
一方、演奏の際にはピックを指で摘まんで使用することから、ピックの板厚が極端に薄いと、当該ピックが指の間から滑り落ちやすくなる。特に、長時間の演奏で指に汗をかいた際や、指の疲労が蓄積されている際にはそのようなトラブルが発生し易い。
【０００４】
従来、前記ピックは合成樹脂製又は金属製の薄板を打ち抜いて製作していることから、個々のピックは一様な板厚を有している。このため、前述したピックの摘まみ易さを考慮した場合、演奏者によるピックの選定は板厚が支配的となる傾向にある。また、ピックの選定に対して板厚が支配的になることから、当該ピックの硬さに影響を及ぼす要素の一つである材質の選定に制限が生じ、スクラッチノイズの発生という点では妥協を強いられる場合も考えられる。
【０００５】
例えば、板厚の選定に依存することなくピックの硬さを調整したものとしては、合成樹脂製の板材の表裏に異なる材質の合成樹脂被膜を形成したもの（特許文献１）や、ピックの角部に孔を形成することで当該角部の変形を容易にしたもの（特許文献２）が知られている。
【先行技術文献】
【特許文献】
【０００６】
【特許文献１】特開２０１７−４０６９７号公報
【特許文献２】実開平６−７８９９３号公報
【考案の概要】
【考案が解決しようとする課題】
【０００７】
本考案はこのような問題点に鑑みなされたものであり、その目的とするところは、板厚に関係なくピックの硬さを選定することができると共に、材質も自由に選択することかでき、しかも長時間の演奏においても扱いやすいギター演奏用のピックを提供することにある。
【課題を解決するための手段】
【０００８】
すなわち、本考案は三か所の角部を有するギター演奏用のピックであって、一定の板厚に形成された保持部を有すると共に、前記保持部から少なくとも一か所の角部に向けて板厚が漸次減少していることを特徴とするものである。
【考案の効果】
【０００９】
本考案のギター演奏用のピックは、保持部から少なくとも一か所の角部に向けて板厚が漸次減少しているので、前記保持部は演奏者がピックを摘まみやすいようにある程度の板厚で形成することが可能となる一方、演奏の際に弦を弾く角部については、当該角部の先端の板厚を任意に設定することにより、当該角部の硬さを任意に調整することが可能であり、演奏者による取り扱い易さを損なうことなく、形状、厚み及び材質の三要素を組み合わせつつ、ピックの硬さを任意に変更することができ、ピックの選定の幅を拡げることが可能となる。
【図面の簡単な説明】
【００１０】
【図１】本考案を適用したギター演奏用ピックの第一実施形態を示す斜視図である。
【図２】第一実施形態に係るピックの平面図である。
【図３】第一実施形態に係るピックの断面を示す斜視図である。
【図４】本考案を適用したギター演奏用ピックの第二実施形態を示す斜視図である。
【考案を実施するための形態】
【００１１】
以下、添付図面を用いて本考案を適用したピックの実施形態を詳細に説明する。
【００１２】
図１及び図２は本考案を適用したギター演奏用ピックの第一実施形態を示すものであり、図１は斜視図、図２は平面図である。この第一実施形態のピック１は、第一の角部２、第二の角部３及び第三の角部４を有すると共に、これら三つの角部を繋ぐ三つの辺５，６，７を有して略三角形状に形成されている。
【００１３】
また、各角部２，３，４を繋ぐ三つの辺５，６，７は円弧状に形成されており、各辺の円弧は互いに異なる曲率で形成されている。前記第一の角部２と第三の角部４を繋ぐ第一の辺５の曲率が最も大きく、前記第一の角部２と第二の角部３を繋ぐ第二の辺６の曲率が次いで大きく、前記第二の角部３と第三の角部４を繋ぐ第三の辺７の曲率が最も小さく設定されている。
【００１４】
このピック１は一定の板厚に形成された保持部１０を有しており、前記保持部１０から周囲に向けて板厚が漸次減少している。前記保持部１０は図中に示す二本の一点鎖線で囲まれた領域であり、この第一実施形態のピック１においては、前記第二の角部３と前記第三の角部４との間に帯状に設けられている。
【００１５】
図３の断面図に示すように、前記ピック１の板厚は前記保持部１０から前記第一の角部２、及び前記第一の角部２と反対側に位置する前記第三の辺７の中央に向けて漸次減少しており、前記第一の角部２の先端及び前記第三の辺７の中央付近の板厚が最も薄くなっている。前記保持部１０の板厚Ｔ0は、当該ピック１の摘まみやすさを考慮し、１．８〜２．０ｍｍに設定されている。また、前記第一の角部２の先端の板厚T1は０．６〜１．２ｍｍ程度に、前記第三の辺７の中央付近の板厚Ｔ2は０．８〜１．６ｍｍ程度に設定されている。
【００１６】
前述の如く、このピック１は均一な板厚を有していないため、板材を所定形状に打ち抜いて製作することが困難であり、合成樹脂の射出成型で製作されている。成形金型からの取り出しを容易なものとするため、第一の辺５、第二の辺６及び第三の辺７には当該ピック１の表裏両面にかけて面取り部８が設けられており（図１参照）、このピック１をギター演奏に使用した際には、前記面取り部８によって、これら辺５，６，７と弦との引っかかりが軽減されるようになっている。板材を打ち抜いて製作したピックでは、打ち抜き後に各辺を研磨して面取り部を形成するといった工程が発生していたが、このピック１では当該工程が不要となっている。
【００１７】
また、前記ピック１を合成樹脂の射出成型で製作しているので、図示はしていないが、前記保持部１０の表裏に文字やロゴマークを凹凸状に設けることが容易に可能である。前記保持部１０に凹凸を設けることで、演奏時におけるピック１と指のすべりが防止され、当該ピック１を確実に保持することが出来る。
【００１８】
更に、このピック１には前記第一の角部２の近傍であって、前記第一の辺５と第二の辺６に沿って当該ピック１の表裏を貫通する細長いスリット孔１１が形成されている。これらスリット孔１１は、前記ピック１の第一の角部２で弦を弾いた際に、当該ピック１と弦との接触音を低減する効果を発揮する。このため、前記スリット孔１１は当該ピック１と弦が接触する領域、すなわち前記第一の角部２を挟んだ前記第一の辺５と前記第二の辺６のうち、前記第一の角部２に近接した位置でこれら第一の辺５と第二の辺６に沿って設けられている。
【００１９】
実際に、前記スリット孔１１の有無のみが異なる二種類のピックを用いて、同じ演奏者でギターを演奏して複数人の聴取者に聴かせ、ピックが弦と擦れる際に生じる所謂スクラッチノイズの発生を評価したところ、演奏者自らと殆どの聴取者が、前記スリット孔１１を有するピックを用いた演奏では当該スリット孔１１を具備しないピックに比べてスクラッチノイズが低減した、と評価した。
【００２０】
そして、以上説明してきた第一実施形態のピック１では、少なくとも前記保持部１０から前記第一角部２に向けて板厚が漸次減少しているので、前記保持部１０は演奏者がピックを摘まみやすいようにある程度の板厚で形成し、演奏の際に弦を弾く第一角部２については、当該第一角部２の先端の板厚を任意に設定することにより、当該第一の角部２の硬さを任意に調整することが可能である。
【００２１】
すなわち、前記保持部１０の板厚と関係なく前記第一の角部２の硬さを板厚によって任意に調整することが可能なので、演奏者による取り扱い易さを損なうことなく、形状、厚み及び材質の三要素を組み合わせつつ、ピック１の硬さを任意に変更することが可能である。これにより、ピックの選定の幅を拡げることが可能となる他、演奏者は自らの演奏スタイルや演奏曲の曲調に最適なピックを見出すことが可能となる。また、使用する材質を任意に選定することが可能となるので、ピック１に模様を付けることも可能となる。更に、適切な材質を使用することにより、弦とピック１が擦れて生じるスクラッチノイズの発生を低減することも可能となる。
【００２２】
尚、この第一実施形態のピック１では、前記第一の角部２を用いてギターの弦を弾くことを想定したが、前記第二の角部３又は第三の角部４で弦を弾くことも可能である。前記第二の角部３及び前記第三の角部４は前記保持部１０に近接しているので、その分だけ前記第一の角部２よりも硬く形成されている。
【００２３】
次に、図４は本考案を適用したギター演奏用ピックの第二実施形態を示すものである。この第二実施形態のピック２０は、第一の角部２１、第二の角部２２及び第三の角部２３を有すると共に、これら三つの角部を繋ぐ三つの辺２４，２５，２６を有して略三角形状に形成されている。
【００２４】
各角部２１，２２，２３を繋ぐ三つの辺２４，２５，２６は同一曲率の円弧状に形成されており、その意味においてこの第二実施形態のピックは略正三角形状に形成されていると言える。
【００２５】
このピック２０は一定の板厚に形成された保持部２７を有しており、前記保持部２７から三か所の角部２１，２２，２３の先端に向けて板厚が漸次減少している。前記保持部２７は図中に示す三本の一点鎖線で囲まれた三角形の領域である。従って、前記ピック２０の板厚は前記保持部２７が最も厚く、各角部２１，２２，２３の先端の板厚が最も薄くなっている。前記保持部２７の板厚は前記第一実施形態の保持部１０と同様に厚さ１．８〜２．０ｍｍに設定されている。また、各角部の先端の板厚は必要とするピックの硬さを考慮して任意に設定することができる。
【００２６】
また、このピック２０では、各角部２１，２２，２３の近傍であって、各辺２４，２５，２６に沿って当該ピック２０の表裏を貫通する細長いスリット孔２８が形成されている。これらスリット孔２８は、前記第一の実施形態のスリット孔１１と同様に、前記ピック２０の各角部２１，２２，２３で弦を弾いた際に、当該ピック２０と弦との接触音を低減する効果を発揮する。
【００２７】
このピック２０も合成樹脂の射出成型で製作されており、各辺２４，２５，２６には当該ピック２０の表裏両面にかけて面取り部２９が設けられている。
【００２８】
そして、以上説明してきた第二実施形態のピック２０では、前記保持部２７から各角部２１，２２，２３に向けて板厚が漸次減少しているので、前記保持部２７は演奏者がピックを摘まみやすいようにある程度の板厚で形成し、演奏の際に弦を弾く各角部２１，２２，２３については先端の板厚を任意に設定することにより、各角部の硬さを任意に調整することが可能である。また、適切な材質を使用することにより、弦とピック２０が擦れて生じるスクラッチノイズの発生を低減することも可能となる。
【００２９】
加えて、この第二実施形態のピック２０では、三つの角部を同じように使用してギターを演奏することが可能であり、各角部の先端の板厚を異ならせることで、1枚のピックで硬さの異なる三枚のピックと同じ機能を発揮する。
【符号の説明】
【００３０】
１…ピック、２…第一の角部、３…第二の角部、４…第三の角部、５…第一の辺、６…第二の辺、７…第三の辺、１０…保持部、１１…スリット孔
【図１】
0003217781.tif 000003
【図２】
0003217781.tif 000004
【図３】
0003217781.tif 000005
【図４】
0003217781.tif 000006